(57)【特許請求の範囲】
【請求項１】
左右の操縦ハンドルに、原動機の回転数を制御するアクセルレバーを有するアクセルレバー装置と、原動機から走行部や作業部へ至る動力系を断続するクラッチレバーを有するクラッチレバー装置とを設ける一方、アクセルレバー装置とクラッチレバー装置との間に張設される緊急停止用ワイヤーと、アクセルレバー装置に付設される緊急停止用ノブとを有する緊急停止装置を設けた歩行形の走行作業機において、アクセルレバー装置が、アクセルレバーを最高速位置から最低速位置を経て停止位置に回動させることで原動機の回転数を最大から最小を経て零に制御するものであり、緊急停止装置が、緊急停止用ワイヤーの引張り又は押込みでアクセルレバーに作用するディスクを作動させてアクセルレバーを停止位置に一挙に回動させ、かつ、クラッチレバーを切断位置に移行させるものであるとともに、緊急停止用ノブの叩き操作によっても、ディスクを作動させて緊急停止用ワイヤを引っ張り又は押し込んでアクセルレバーを停止位置に一挙に回動させる他、クラッチレバーを切断位置に移行させるものであることを特徴とする走行作業機の緊急停止装置。
【発明の詳細な説明】
【０００１】
【発明の属する技術分野】
本発明は、歩行形トラクタ等の走行作業機に実施される緊急停止装置に関するものである。
【０００２】
【従来の技術】
歩行形トラクタ等の原動機は所定の操作で停止させるようになっている。多くは、アルセルレバーを停止位置を越えた停止位置に回動させることで、燃料カット等を行って停止させるようにしている。ところが、通常の減速（回転数低減）操作のときに停止位置まで至っては拙いので、ここで何等かの切替え操作を必要とするものが多い。しかし、これでは、緊急に停止しなければならないときに咄嗟に操作できないことがある。
【０００３】
このため、緊急停止装置を設けており、これには特開昭５８−１９９２２７号公報及び実公昭６２−００９１５０号公報に見られるものがある。前者は、緊急停止用レバーをハンドルと一緒に握っておき、緊急時にこのレバーを離すと、スプリングの力でアクセルレバーを停止位置に移動させるものである。また、後者は、アクセルレバーの傍に緊急停止用ロッドを設けておき、緊急時にこのロッドを押し上げることでアクセルレバーを停止位置に移動させるものである。
【０００４】
【発明が解決しようとする課題】
しかし、上記した前者公報のものでは、緊急停止用レバーをハンドルと常に共握りしておくのが通常操縦の際の負担となるし、後者公報のものでは慣性の大きな緊急停止用ロッドを重力に逆らって上方に押し上げるには相当大きな力を要する。また一方で、原動機に停止指令を与えただけでは、原動機は慣性力の関係で即座には停止しないのであり、従って、この停止指令に連動させて何らかの走行停止の措置を取らなければ完全とは言えない。
【０００５】
本発明は斯かる問題点を解決するものであり、緊急停止用ワイヤーを引っ張るという簡易な操作で原動機を停止させると共に、原動機から走行系に至る動力系を切断することで、作業機の走行を即座に、且つ確実に停止させるようにしたものである。
【０００６】
【課題を解決するための手段】
上記目的を達成するため本発明では、左右の操縦ハンドルに、原動機の回転数を制御するアクセルレバーを有するアクセルレバー装置と、原動機から走行部や作業部へ至る動力系を断続するクラッチレバーを有するクラッチレバー装置とを設ける一方、アクセルレバー装置とクラッチレバー装置との間に張設される緊急停止用ワイヤーと、アクセルレバー装置に付設される緊急停止用ノブとを有する緊急停止装置を設けた歩行形の走行作業機において、アクセルレバー装置が、アクセルレバーを最高速位置から最低速位置を経て停止位置に回動させることで原動機の回転数を最大から最小を経て零に制御するものであり、緊急停止装置が、緊急停止用ワイヤーの引張り又は押込みでアクセルレバーに作用するディスクを作動させてアクセルレバーを停止位置に一挙に回動させ、かつ、クラッチレバーを切断位置に移行させるものであるとともに、緊急停止用ノブの叩き操作によっても、ディスクを作動させて緊急停止用ワイヤを引っ張り又は押し込んでアクセルレバーを停止位置に一挙に回動させる他、クラッチレバーを切断位置に移行させるものである構成にした。
【０００７】
この発明を歩行形走行作業機に実施する際は例えば次のようになす。即ち、歩行形走行作業機は一般に原動機停止装置の一部をなすアルセルレバー装置及び、主クラッチを断続させるためのクラッチレバー装置を具備しているが、このような作業機の操縦ハンドルの左右把握部の相互間に緊急停止用ワイヤーを張設し、このワイヤーをアクセルレバー装置及びクラッチレバー装置に連系させるようにする。
【０００８】
【発明の実施の形態】
以下、本発明の実施形態を図面により説明する。図１は走行作業機としての歩行形トラクタにおける操縦ハンドルの要部を後方から見た図であるが、操縦部の主要部材である操縦ハンドル１は機体の主要部（原動機等の搭載された部分）から延出された右側把握部２と左側把握部３を有すると共に、これら把握部２、３を連結部材４で結合したものとなされている。
【０００９】
そして右側把握部２にはアクセルレバー装置５が固定され、また左側把握部３にはクラッチレバー装置６が固定されている。
【００１０】
前記アクセルレバー装置５は、原動機に供給する燃料の量を加減してその回転数を制御するものとした原動機回転数制御装置の操作部として機能すると同時に、原動機の燃料をカットする等してその駆動力を消失させるものとした原動機停止装置の一部をなすもので同停止装置の操作部としても機能するものとなされるのであり、その具体的構成は次のとおりである。
【００１１】
即ち、図２及び図３はアクセルレバー装置５の縦断面図、そして図４は一部を断面で示した同装置５等の平面図であり、これらの図に於けるケース部材７の上面中央には縦向きの支持筒部８を形成し、これの外周面にはアクセルレバー１１を一定高さ位置での回動自在に外嵌すると共に同レバー１１に直接的に係着された図示しないスプリングにより図４に示す矢印方向ｆ１へ付勢された状態となす。そしてアクセルレバー１１の上面には原動機側の端部が原動機回転数制御装置及び原動機停止装置の入力部に連結された連係ワイヤー９を巻き取るための巻取りリール部材１０を固定する。ここに、原動機回転数制御装置は原動機に供給される燃料の量を加減するポンプ機構とか、これにガバナーを関連させたもの等となし、また原動機停止装置は前記ポンプ機構の供給作用を停止させるものとか、点火プラグの電気系統を遮断するようにしたもの等となす。
【００１２】
またアクセルレバー１１の半径方向の途中には縦支軸１２を固着し、この縦支軸１２にはサブレバー１３を支点部１３ａを介して同支軸１２廻りの回動自在に嵌着すると共に図示しないスプリングにより図４に示す矢印方向ｆ２へ付勢された状態となす。このサブレバー１３は縦支軸１２の外方側となる部位を操作部となし、また同支軸１２の内方側先端を係合部１３ｂとなす。そして係合部１３ｂは図２等に示すようにその縦縁の高さ中央部に山形の凹み１３ｃを形成したものとなす。
【００１３】
一方、支持筒部８の内孔には段付の軸体１４を挿通させると共に、この軸体１４の上端にノブ１５を、そして下端に欠円形のディスク１６を固定させ、長さ途中には支持筒部８の内孔に案内される摺動筒１７を嵌着させるほか、この軸体１４を上方へ押圧するためのスプリング１８を設ける。ディスク１６は下面の中央部が上方へ凹んだ形状となし、且つ、図２に仮想線で示す通常位置ａにあるときにその外端縁がサブレバー１３の凹み１３ｃ内に存在するように関連させる。
【００１４】
ケース部材７の底面上には突起軸部１９を支持筒部８と同心に形成し、この軸部１９に抵抗円盤体２０を回動自在に嵌着すると共に、この円盤体２０の上面に皿バネ２１を配し、これをバネ押さえ２２と固定ボルト２３で下方へ押圧した状態となす。抵抗円盤体２０は周縁の一定間隔位置にサブレバー１３の係合部１３ｂが密状に嵌合される係止溝２０ａを刻設したものとなす。そして、ケース部材７の高さ途中にはアーム２４の固定された横軸２５を回動自在に装着すると共に、この横軸２５に固定ボルトを介してコ形の鋼線部材２６を固定する。この鋼線部材２６は両端をデイスク１６の直径方向の各端部に形成された横長の凹み部１６ａに係合させる。
【００１５】
またケース部材７の底面にはサブレバー１３の係合部１３ｂの下端を係止させ得るものとしたストッパー部２７を設けるほか、スプリング１８の周囲はカバー２８で覆う。
【００１６】
さらに図示は省略してあるが、軸体１４にはスプリングで押圧されるボールとこれを案内する溝からなる弾性係止力付与機構を設け、デイスク１６が通常位置ａと、図２に実線で表示された位置と、図３に表示された位置の各個所に位置したとき、軸体１４に適当大きさの係止力が作用するようになす。
【００１７】
このように構成されたアクセルレバー装置５の使用例及びその作用を説明すると、作業状態では、ディスク１６は通常位置ａに存在した状態となされ、アクセルレバー１１が任意位置に回動されても、サブレバー１３と干渉することはない。従って、サブレバー１３は図示しないスプリングの弾力により係合部１３ｂの下部が抵抗円盤体２０の係止溝２０ａに密状に入り込んだ状態で保持される。また抵抗円盤体２０は皿バネ２１の弾力によりケース部材７の底面に接触し、軸部１９廻りの回動に対する適当大きさの抵抗を発生するものとなる。
【００１８】
このため、アクセルレバー１１を高速側の方向ｆ３へ回動させる際は、同レバー１１には抵抗円盤体２０の発生する抵抗と、同レバー１１の停止位置ｐ１側の方向ｆ１へ向けて作用する図示しないスプリングの付勢力とを加えた力よりも大きな操作力を付与することが必要となるのであり、この操作力を除去したときは抵抗円盤体２０の抵抗が停止位置ｐ１側の方向ｆ１へ向けて作用する図示しないスプリングの付勢力を上回り、同レバー１１は操作力の除去位置で停止した状態となる。また同レバー１１を停止位置ｐ１側へ回動させるさいは抵抗円盤体２０の抵抗から矢印方向ｆ１への図示しないスプリングの付勢力を差し引いた力よりも大きな操作力を付与することが必要となる。
【００１９】
アクセルレバー１１を停止位置ｐ１へ向けて回動させると、同レバー１１が最低速位置ｐ２に達したとき、サブレバー１３の係合部１３ｂの下端がストッパー部２７に係止され、同レバー１１はそれ以上の回動を規制されるのであり、この規制作用が原動機を停止させるような不用意なレバー操作を回避させる。
【００２０】
非緊急状態に於いて原動機を停止させる際はサブレバー１３を矢印方向ｆ４へ操作してその係合部１３ｂがストッパー部２７と干渉しない状態でアクセルレバー１１を停止位置ｐ１まで回動させるようにする。
【００２１】
ノブ１５等に外力が作用する等して軸体１４が上方へ変位すると、ディスク１６は図２に実線で表示したように高位置に存在した状態に保持され、逆に軸体１４が下方へ変位すると、図３に示すように低位置に存在した状態に保持されるものとなる。そして、このようなデイスク１６の変位は鋼線部材２６や横軸２５を介してアーム２４を関連作動させる。
【００２２】
また、前記クラッチレバー装置６は原動機から走行部や作業部へ至る動力系を切断するための主クラッチを断続させるものとなされるのであり、その具体的構成は、次のとおりである。
【００２３】
即ち、図５及び図６はクラッチレバー装置６の縦断面図、そして図７は一部を断面で示した同装置６等の平面図であるが、操縦ハンドル１に固定された枠形フレーム２８に横向きの支軸２９を固定し、これにクラッチレバー３０と同体の支持板３１に固定された図７に示す筒部材３２を一定角度範囲内の揺動自在に外嵌させると共に、支持板３１の下部にＣ形リンク部材３３の一端を軸着し、同部材３３の他端には原動機側の端部が主クラッチの入力部と連結され且つ、主クラッチ側に設けた図示しないスプリングの引張弾力を付与される連係ワイヤー３４をこれに固定された端部材を介して軸着する。また支軸２９には支持板３１に隣接してカム板３５を回動自在に外嵌すると共にこのカム板３５の上部３５ａを支持板３１側へ屈曲して同板３１と干渉するようになし、またカム板３５の周縁を案内部３５ｂとすると共にその特定個所に凹み部３５ｃを形成するほか、これを操縦ハンドル１の後方ｆ５へ付勢するためのスプリング３６を装着する。そして、支軸２９の後方側となる枠形フレーム２８の外面には軸３７を突設し、この軸３７を介してアーム３８を揺動自在に装着し、またこれの上縁近傍にカム板３５の案内部３５ｂ上を転動するものとしたカムローラ３９を設けると共に、カム板３５を前方へ引張するためのスプリング４０を設ける。この際、４１は支持板３１の横位置を規制するため支軸２９に嵌着された筒部材、４２は枠形フレーム２８等の上方を覆うためのカバー部材である。
【００２４】
このような構成としたクラッチレバー装置６の使用例及びその作用を説明すると、クラッチレバー３０は切り位置ｐ３に操作された後の自由状態ではカム板３５を介して付与されるスプリング３６の押圧弾力や連係ワイヤー３４に作用する図示しないスプリングの引張弾力により切り位置ｐ３に保持されるのであり、また同レバー３０がスプリング３６等の弾力に抗して前方の入り位置ｐ４（図６参照）側へ操作されると、その操作量の増大により、ローラ３９がカム板３５の案内部３５ｂ上を移動して凹み部３５ｃに達し、ここでスプリング４０の引張弾力によりその凹み部３５ｃに嵌まり込んで同レバー４０の後方ｆ５への回動を規制し、同レバー３０は図６に示すように入り位置ｐ４に安定的に保持される。なお、入り位置ｐ４のクラッチレバー３０は連係ワイヤー３４の引張力に関連した弾性的な支点を僅かに越えた状態となっているため、同ワイヤー３４の引張力による同レバー３０の回動力は比較的小さいものとなる。
【００２５】
この状態に於いて、アーム３８に外力が作用して後方ｆ５へ揺動すると、ローラ３９が凹み部３５ｃから脱出されるものとなり、これによりクラッチレバー３０はスプリング３６の弾力により後方へ揺動されるのである。この際、スプリング３６の弾力の強さはクラッチレバー３０が揺動して前記した弾性的な支点を越えるまで同レバー３０を揺動させるに要するものよりも大きくする。
【００２６】
しかして、操縦ハンドル１の左右把握部２、３の相互間に緊急停止用ワイヤー４３を張設し、このワイヤー４３をアクセルレバー装置５及びクラッチレバー装置６に連系させるようにするのであって、具体的には次のようにする。
【００２７】
即ち、図２及び図３等に示すようにアクセルレバー装置５のケース部材７に固定した支持片を介して凡そ９０度に屈曲されたワイヤー案内管４４をネジ４４ａ及びナット４５を介して位置調整可能に固定し、この際、ワイヤー案内管４４はケース部材７から先ず下方へ導き、続いて操縦ハンドル１の巾中央へ向けるようにする。
またクラッチレバー装置６の近傍にも図５及び図６等に示すように図示しない支持片を介してやはり凡そ９０度に屈曲されたワイヤー案内管４６を固定する。
【００２８】
そして、これら二つのワイヤー案内管４４、４６に緊急停止用ワイヤー４３を挿通させ、その一端に固定された端部材４７をアクセルレバー装置５のアーム２４に軸着し、他端に固定された端部材４８をクラッチレバー装置６のアーム３８に軸着すると共に、このように結合された後の同ワイヤ−４３は適当に緊張させる。
【００２９】
緊急停止用ワイヤー４３は左右のワイヤ−案内管４４、４６の相互間部分が操作部となされるのであり、この操作部には弾性的に撓曲可能なものとした被覆管４９を同ワイヤー４３の摺動が可能なように装着するほか、被覆管４９の両端部にはワイヤー案内管４４、４６との接触による損傷を防止するためリング状の端部材５０、５０を固定する。
【００３０】
斯かる構成の歩行形トラクターを使用例を説明すると、作業者は操縦ハンドル１の左右把握部２、３を持って運転するのであり、この運転中に機体が不安定となる等して危険な状態となったときは緊急停止用ワイヤー４３の操作部を左右何れかの手で成るべく操縦ハンドル１の前後方向に近い任意方向へ僅かに引張或いは押圧操作するのである。
【００３１】
これにより、緊急停止用ワイヤー４３の各端部はそれぞれに対応した各アーム２４、３８を所定の方向ｆ６、ｆ７へ引張し揺動させるのであり、一方のアーム２４の矢印方向ｆ６の揺動はデイスク１６を上方へ変位させて、これの外周縁をサブレバー１３の係合部１３ｂの上方突部ｎ１に係合させ、サブレバー１３をその係合部１３ｂが抵抗円盤体２０の係止溝２０ａから抜け出るように揺動させるのであり、また他方のアーム３８の矢印方向ｆ７の揺動はローラ３９を凹み部３５ｃから脱出させるものとなる。
【００３２】
このため、これまで抵抗円盤体２０の抵抗及びサブレバー１３の係止作用により運転状態位置に固定されていたアクセルレバー１１は同円盤体２０の抵抗による係止力を失った状態となってこの状態は停止位置まで継続されるため、同レバー１１は図示しないスプリングの弾力により一挙に停止位置ｐ１まで回動される。この一方ではクラッチレバー３０がスプリング３６等の弾力により入り位置ｐ４から切り位置ｐ３まで一挙に揺動される。また、これらの動作に関連して、原動機停止装置が停止作動して原動機の駆動力を直ちに消失させると共に主クラッチが直ちに断状態となって動力系を切断するものとなり、機体の走行は瞬時に停止され、安全が確保される。
【００３３】
この緊急停止の後、再び使用する際はノブ１５を押し下げてデイスク１６を通常位置ａに保持させると共に、アクセルレバー１１を少し回してサブレバー１３の係合部１３ｂを抵抗円盤体２０の任意の係止溝２０ａに嵌まり込んだ状態となし、この状態で同レバー１１を適当位置に回動させて原動機を始動させるようになし、またクラッチレバー３０は必要に応じ再び入り位置ｐ４に揺動操作する。この際、カム板３５は既に緊急停止用ワイヤー４３の引張状態から解放されているため、クラッチレバー３０は前述したようにローラ３９で入り位置ｐ４に保持されるものとなる。
【００３４】
使用中に緊急停止用ワイヤー４３が延びたときはナット４５の位置調整によりワイヤー案内管４４を適当長だけ下げるようにする。
【００３５】
なお、本実施形態ではノブ１５の直接的な操作により原動機を緊急停止させることもできるのであって、即ちノブ１５を上方へ引き上げると、デイスク１６が図２に実線で示す高位置に変位し、恰も緊急停止用ワイヤー４３を操作した場合と同様に各部が作動し、上記と同様な緊急停止状態となる。
【００３６】
一方、ノブ１５を上方から叩き下げると、デイスク１６が図３に示すような低位置に変位し、この位置に保持される。この状態ではデイスク１６の外周縁がサブレバー１３の係合部１３ｂの下方突部ｎ２に係合して、同レバー１３をその係合部１３ｂが抵抗円盤体２０の係止溝２０ａから抜け出るように揺動させるのであり、これによりアクセルレバー１１は緊急停止ワイヤー４３を操作したと同様に停止位置ｐ１に回動され、またアーム２４がデイスク１６の動作に関連して矢印方向ｆ６の逆へ揺動して緊急停止用ワイヤー４３を引張する。このためアーム３８は緊急停止ワイヤー４３を引き操作したと同様に矢印方向ｆ７へ揺動され、クラッチレバー３０は切り位置ｐ３に回動されるものとなる。かくして、この場合も上記と同様な緊急停止状態となるのである。なお、この緊急停止の後に再びトラクタを使用状態とするにはノブ１５を引き上げてデイスク１６を通常位置ａに保持させるのであり、これにより緊急停止ワイヤー４３はアーム３８の前方揺動に対する規制を解除し、またデイスク１６はサブレバー１３の矢印方向ｆ２の揺動に対する規制を解除するものとなり、各部は再使用の可能な状態となる。
【００３７】
なお、このようなノブ１５の直接的な操作による緊急停止は本発明を実施する上では必ずしも必要ではなく、したがって、ノブ１５はデイスク１６を図２に実線で示す高位置から通常位置ａに下げることを可能とするもので足りるのであって、この際、デイスク１６は通常位置ａよりも下方へ変位する必要はなく、またサブレバー１３の係合部１３ｂの下方突部ｎ２も必要ない。
【００３８】
【発明の効果】
上記した本発明によれば、緊急停止用ワイヤーの操作部を操縦者の手前に引張し又は前方へ押圧することにより、原動機の駆動力が消失されると共に主クラッチが切断されて機体の走行が瞬時に停止されるものとなり、作業者の安全を確実なものとなし得るのである。また、緊急停止用ワイヤーは操作部をレバーや押しボタン等に較べて長くでき、しかも操作方向に制約がない等のため、操作が容易となって安全の確保が一層確実となるのである。
【００３９】
また請求項２に記載したものによれば、緊急停止用ワイヤーを左右把握部の相互間に設けたことから、操縦ハンドルの片側から操縦したり操縦ハンドルを持ち上げて回行するような場合でも、支障なく緊急停止させ得るのである。
【００４０】
また請求項３に記載したものによれば、ディスクが緊急停止用ノブによる緊急停止と緊急停止用ワイヤーによる緊急停止との二つの場合に兼用されるものとなり、小スペース化及び低コスト化が可能になるのである。
【図面の簡単な説明】
【図１】  本発明に係る走行作業機としての歩行形トラクタにおける操縦ハンドルの要部を後方から見た図である。
【図２】  本発明に係るアクセルレバー装置の一使用状態を示す縦断面図である。
【図３】  同アクセルレバー装置の他の使用状態を示す縦断面図である。
【図４】  同アクセルレバー装置等を示し、一部が断面となされた平面図である。
【図５】  本発明に係るクラッチレバー装置の一使用状態を示す縦断面図である。
【図６】  同クラッチレバー装置の他の使用状態を示す縦断面図である。
【図７】  同クラッチレバー装置等を示し、一部が断面となされた平面図である。
【符号の説明】
１  操縦ハンドル
２及び３  把握部
５  アルセルレバー装置
６  クラッチレバー装置
１１  アクセルレバー
１５  緊急停止用ノブ
１６  ディスク
３０  クラッチレバー
４３  緊急停止用ワイヤー
【図１】
0003798835.tif 000002
【図２】
0003798835.tif 000003
【図３】
0003798835.tif 000004
【図４】
0003798835.tif 000005
【図５】
0003798835.tif 000006
【図６】
0003798835.tif 000007
【図７】
0003798835.tif 000008